(57)【特許請求の範囲】
【請求項１】
保守端末から受信した第１文字フォントデータと第２文字フォントデータと文章データとを記憶する内部記憶装置と、
前記保守端末から受信した前記第１文字フォントデータと前記文章データとを記憶する外部記憶装置と、
前記内部記憶装置または前記外部記憶装置のいずれかを優先アクセス先として設定するアクセス先設定部と、
主記憶装置と、
運用端末からのダイヤデータが受信されると、前記アクセス先設定部によって設定された前記内部記憶装置または前記外部記憶装置から前記第１文字フォントデータおよび前記文章データを読み出して前記主記憶装置に展開するデータ読出部と、
前記データ読出部が前記第１文字フォントデータおよび前記文章データの読み出しに成功したか否かを判定し、読み出しに成功しなかった場合に、前記データ読出部のアクセス先を変更するデータ読出判定部と、
前記ダイヤデータと前記主記憶装置に展開された前記第１文字フォントデータおよび前記文章データに基づいて表示する表示ユニットと、
を備えた行先案内表示盤。
【請求項２】
前記アクセス先設定部は、変更されたアクセス先からも読み出しが成功しなかった場合に、アクセス先を前記内部記憶装置とし、
前記データ読出部は、前記内部記憶装置から前記第２文字フォントデータと前記文章データとを読み出す、
請求項１記載の行先案内表示盤。
【請求項３】
前記ダイヤデータは、番線コードと、種別コードと、行先コード、時分コード、両数コード、文章コードのいずれかのコードを含む、
請求項１記載の行先案内表示盤。
【請求項４】
前記文章データは、前記文章コードと対応づけられている、
請求項３記載の行先案内表示盤。
【請求項５】
前記第１文字フォントデータは、前記表示ユニットに表示するのに最適化された独自のフォントデータである、
請求項１記載の行先案内表示盤。
【請求項６】
前記第２文字フォントデータは、汎用のフォントデータである、
請求項１記載の行先案内表示盤。
【発明の詳細な説明】
【技術分野】
【０００１】
本発明は、鉄道の旅客駅のコンコース、改札口、プラットホーム等に設置されて列車の発車時刻、行先、列車種別等の情報を表示する行先案内表示盤に関する。
【背景技術】
【０００２】
鉄道の旅客駅、路線バスのバスターミナル、空港等には、乗物の行先、出発時刻、種別等を案内するための行先案内表示盤が設置されている（たとえば、特許文献１参照）。このような行先案内表示盤は、主として文字情報を表示することが目的であるため、低解像度の表示パネルが用いられている。このような表示パネルとしては、近年では、ＬＥＤ（Light Emitting Diode）をマトリクス状に配列して構成したものが一般に用いられている。しかし、このような低解像度の表示パネルでも、文字情報を視認性よく表示するためには、いくつかの工夫がなされている。たとえば、ＬＥＤを多色またはフルカラーにして表現力を高めたり、表示する文字を、低解像度の表示パネルに適したフォントで表示したりすることが行われている。
【０００３】
行先案内表示盤で表示する文字は、特定の駅名や数字等、文字数が限定されているので、それらの文字についてパターンデータと呼ばれるオリジナルのフォントデータを作成し、そのフォントデータを用いて表示するようにしている。
【０００４】
行先案内表示盤では、このようなフォントデータは、制御基板に搭載された内部記憶媒体またはＳＤカード（Secure Digital カード）のような外部記憶媒体に保守端末によってあらかじめ記憶され、運用端末から表示すべき文字のデータを受信したとき、記憶されている媒体から対応するフォントデータを読み出し、そのフォントで表示する。なお、フォントデータを記憶している媒体は、制御基板にて設定されており、フォントデータの読み出しは、その設定に基づいた媒体から行われる。
【０００５】
また、行先案内表示盤は、列車情報だけでなく、乗客に対する案内情報も表示する。案内情報は、あらゆる文字の表示に対応できるように、すべての文字（各国言語、記号等）を表現できる汎用の文字フォントデータを用いて表示される。この文字フォントデータは、制御基板に搭載された内部記憶媒体に保守端末によってあらかじめ記憶されており、運用端末から表示すべき文字のデータを受信したとき、内部記憶媒体から対応するフォントデータを読み出し、そのフォントで表示する。
【先行技術文献】
【特許文献】
【０００６】
【特許文献１】特開２００２−２１１４０３号公報
【発明の概要】
【発明が解決しようとする課題】
【０００７】
行先案内表示盤は、運用端末からダイヤデータを受信したとき、そのダイヤデータに対応するフォントデータを記憶媒体から読み出すが、その記憶媒体自体に故障が生じたり、読み出すことができてもその設定された媒体からの読み出しに不備があったりすると、行先案内表示盤の表示が更新されなくなる。
【０００８】
このような不備があると、たとえば、制御基板の内部記憶媒体の故障の場合、制御基板の交換およびフォントデータの格納が必要となる。また、ＳＤカードが故障の場合も、ＳＤカードの交換およびフォントデータの格納が必要となる。さらに、読み出し媒体の設定変更が必要となる。これらの作業は、保守員による対応で行うため、復旧までに時間を要する。
【０００９】
一側面では、本発明は、データが格納された記憶媒体および、記憶媒体からのデータ読み出しに不備が発生した場合でも、表示の更新が中断されたり、復旧までに長時間を要したりすることのない行先案内表示盤を提供することを目的とする。
【課題を解決するための手段】
【００１０】
上記目的を達成するために、以下に示すような行先案内表示盤を提供する。行先案内表示盤は、内部記憶装置と、外部記憶装置と、アクセス先設定部と、主記憶装置と、データ読出部と、データ読出判定部と、表示ユニットとを備える。内部記憶装置は、保守端末から受信した第１文字フォントデータと第２文字フォントデータと文章データとを記憶する。外部記憶装置は、保守端末から受信した第１文字フォントデータと文章データとを記憶する。アクセス先設定部は、内部記憶装置または外部記憶装置のいずれかを優先アクセス先として設定する。データ読出部は、運用端末からのダイヤデータが受信されると、アクセス先設定部によって設定された内部記憶装置または外部記憶装置から第１文字フォントデータおよび文章データを読み出して主記憶装置に展開する。データ読出判定部は、データ読出部が第１文字フォントデータおよび文章データの読み出しに成功したか否かを判定し、読み出しに成功しなかった場合に、データ読出部のアクセス先を変更する。表示ユニットは、ダイヤデータと主記憶装置に展開された第１文字フォントデータおよび文章データに基づいて表示する。
【発明の効果】
【００１１】
一態様によれば、文字フォントのデータ読み出しに不具合が生じた場合に、代替となる文字フォントデータの読み出しを可能とする行先案内表示盤を提供できる。
【図面の簡単な説明】
【００１２】
【図１】第１の実施形態の行先案内表示盤の構成の一例を示す図である。
【図２】第２の実施形態の表示システムの一例を示す図である。
【図３】第２の実施形態の表示装置のハードウェア構成の一例を示す図である。
【図４】第２の実施形態の文字フォントの一例を示す図であって、（Ａ）は第１文字フォント、（Ｂ）は第２文字フォントである。
【図５】第２の実施形態のダイヤデータのデータ構造とコード内容の一例を示す図である。
【図６】第２の実施形態のダイヤデータのコード内容と表示内容の対応情報の一例を示す図であって、（Ａ）は番線コード、（Ｂ）は種別コード、（Ｃ）は行先コードとの対応情報である。
【図７】第２の実施形態のダイヤデータのコード内容と表示内容の対応情報の一例を示す図であって、（Ａ）は時コード、（Ｂ）は分コード、（Ｃ）は両数コード、（Ｄ）は文章コードとの対応情報である。
【図８】第２の実施形態の表示処理のフローチャートを示す図である。
【図９】第２の実施形態の第１記憶部優先表示処理のフローチャートを示す図である。
【図１０】第２の実施形態の第２記憶部優先表示処理のフローチャートを示す図である。
【図１１】第２の実施形態の表示の一例を示す図である。
【発明を実施するための形態】
【００１３】
以下、図面を参照して実施の形態を詳細に説明する。
［第１の実施形態］
まず、第１の実施形態の表示装置について図１を用いて説明する。図１は、第１の実施形態の行先案内表示盤の構成の一例を示す図である。
【００１４】
行先案内表示盤１は、駅構内等に設置される表示装置であり、列車のダイヤ情報を表示する。行先案内表示盤１は、内部記憶装置４と、外部記憶装置５と、アクセス先設定部６と、データ読出部７と、データ読出判定部８と、主記憶装置９と、表示ユニット１０とを備える。データ読出部７は、内部記憶装置４と、外部記憶装置５と、アクセス先設定部６と、データ読出判定部８と、主記憶装置９と接続される。表示ユニット１０は、主記憶装置９と接続される。また、行先案内表示盤１は、運用端末２と保守端末３と接続されている。
【００１５】
運用端末２は、行先案内表示盤１と接続され、ダイヤデータ１７を行先案内表示盤１に送信するコンピュータである。ダイヤデータ１７は、行先案内表示盤１の運用中に送信されるデータであり、行先案内表示盤１に対して、どのような表示を行うかを指示する情報である。
【００１６】
保守端末３は、行先案内表示盤１と接続され、第１文字フォントデータ１１，１４と、第２文字フォントデータ１２と、文章データ１３，１５とを行先案内表示盤１に送信するコンピュータである。ここで、第１文字フォントデータ１１，１４は、表示ユニット１０による文字表示に最適化したオリジナルのフォントデータである。第２文字フォントデータ１２は、あらゆる文字の表示に使用される汎用のフォントデータである。文章データ１３，１５は、ダイヤデータ１７に含まれる文章コードと表示ユニット１０に表示する文字等とを対応づけた情報である。
【００１７】
以下、行先案内表示盤１の動作について説明する。まず、行先案内表示盤１の運用前の準備段階の動作について説明する。内部記憶装置４は、保守端末３から受信した第１文字フォントデータ１１と第２文字フォントデータ１２と文章データ１３とを記憶する。外部記憶装置５は、保守端末３から受信した第１文字フォントデータ１４と文章データ１５とを記憶する。
【００１８】
次に、行先案内表示盤１の運用段階における動作について説明する。データ読出部７は、運用端末２からダイヤデータ１７を受信すると、アクセス先設定部６によって設定された内部記憶装置４または外部記憶装置５から第１文字フォントデータ１１，１４および文章データ１３，１５を読み出して主記憶装置９に展開する。データ読出判定部８は、データ読出部７が第１文字フォントデータ１１，１４および文章データ１３，１５の読み出しに成功したか否かを判定する。もし、読み出しに成功しなかった場合、データ読出判定部８は、データ読出部７のアクセス先を変更し、データ読出部７は、変更した内部記憶装置４または外部記憶装置５から第１文字フォントデータ１１，１４および文章データ１３，１５を再度読み出して主記憶装置９に展開する。表示ユニット１０は、ダイヤデータ１７を主記憶装置９に展開された第１文字フォントデータ１１，１４のフォントで表示し、文章データ１３，１５を第２文字フォントデータ１２のフォントで表示する。
【００１９】
たとえば、優先アクセス先１６が内部記憶装置４に設定されている場合、ダイヤデータ１７を受信すると、データ読出部７は、内部記憶装置４から第１文字フォントデータ１１を読み出す。第１文字フォントデータ１１の読み出しに成功した場合、表示ユニット１０は、受信したダイヤデータ１７と対応づけられた文字を、第１文字フォントデータ１１で表示する。もし、第１文字フォントデータ１１の読み出しに成功しなかった場合、データ読出部７は、第１文字フォントデータ１１の読み出し先を外部記憶装置５に変更する。表示ユニット１０は、受信したダイヤデータ１７と対応づけられた文字を、第１文字フォントデータ１４で表示する。
【００２０】
このようにして、行先案内表示盤１は、文字フォントデータの読み出しに不具合が生じた場合に、代替の文字フォントデータの読み出しに即座に対応することができる。このため、文字フォントデータの読み出しに不具合が生じたとしても、表示の更新が中断されることがなく、その不具合に対する対処は、運用時間外に行えばよいので、人手による復旧作業の時間と労力を軽減できる。
【００２１】
［第２の実施形態］
次に、第２の実施形態の表示システムについて図２を用いて説明する。図２は、第２の実施形態の表示システムの一例を示す図である。
【００２２】
表示システム３０は、複数の行先案内表示盤１００と、ネットワーク４０と、運用端末５０と、保守端末６０とを備える。本実施形態では、表示システム３０において、行先案内表示盤１００を列車の行先案内表示に用いることを前提に説明をするが、これは一例であり、その他の表示に用いてもよい。また、運用端末５０と保守端末６０は、１台に限られず、複数台備えてもよい。
【００２３】
運用端末５０は、列車ダイヤの運行状況に応じて変化するダイヤデータを適宜行先案内表示盤１００に送信するコンピュータである。ダイヤデータは、行先案内表示盤１００に対して、どのような表示を行うかを指示する情報である。この情報としては、たとえば、列車の種別や発車時刻や車両数や列車の運行情報等がある。また、運用端末５０は、行先案内表示盤１００に対し、先発列車の停車駅を案内する情報や列車運行に関連するニュース等を表示するよう指示をすることができる。
【００２４】
保守端末６０は、表示部の表示方式に最適化された文字フォントであるパターンデータ（第１文字フォントデータ）を作成・編集したり、付加的な情報である文章データを作成・編集したりするコンピュータである。たとえば、新たに路線の乗り入れができるようになったり、新駅ができたりした場合、保守端末６０は、新たな駅名に使用される新規文字のフォントデータを作成する。このようなパターンデータおよび文章データは、データの更新があったときだけ、すべての行先案内表示盤１００に送信される。また、保守端末６０は、主として文章データの表示に使用される一般的な文字フォントデータ（第２文字フォントデータ）を行先案内表示盤１００に送信することができる。この第２文字フォントデータに関しては、保守端末６０からデータの形で行先案内表示盤１００に送信する代わりに、行先案内表示盤１００が漢字ＲＯＭ（Read Only Memory）の形で備えていてもよい。
【００２５】
行先案内表示盤１００は、表示部を備え、プラットホームの高所に設置される装置である。行先案内表示盤１００は、運用端末５０および保守端末６０と通信を行い、受信した情報に基づき表示部に行先等の案内情報を表示する。行先案内表示盤１００の詳細については、図３を用いて後で説明する。
【００２６】
ネットワーク４０は、行先案内表示盤１００と運用端末５０と保守端末６０とを接続する有線ネットワークや無線ネットワーク等、各種のネットワークを含む。ネットワーク４０は、たとえば、鉄道システムのネットワークや駅構内ネットワークを使用することができる。
【００２７】
このような構成により、表示システム３０は、運用端末５０から送信されたダイヤデータに基づいて、行先案内表示盤１００に行先案内等を表示することができる。
次に、行先案内表示盤１００のハードウェア構成について図３を用いて説明する。図３は、第２の実施形態の表示装置のハードウェア構成の一例を示す図である。
【００２８】
行先案内表示盤１００は、制御基板１１０と表示部１２０とを備える。
制御基板１１０は、プロセッサ１１１によって装置全体が制御されている。プロセッサ１１１には、バス１１８を介してＳＤ−ＲＡＭ（Synchronous Dynamic Random Access Memory）１１２と複数の周辺機器が接続されている。プロセッサ１１１は、たとえばＣＰＵ（Central Processing Unit）またはＭＰＵ（Micro Processing Unit）である。
【００２９】
ＳＤ−ＲＡＭ１１２は、制御基板１１０の主記憶装置として使用される。ＳＤ−ＲＡＭ１１２には、プロセッサ１１１に実行させるＯＳ（Operating System）のプログラムや行先案内表示のためのアプリケーションプログラムの少なくとも一部が一時的に格納される。また、ＳＤ−ＲＡＭ１１２には、読み出された第１および第２文字フォントデータや文章データやプロセッサ１１１による処理に必要な各種データが格納される。
【００３０】
バス１１８に接続されている周辺機器としては、フラッシュＲＯＭ１１３、入出力インタフェース１１４、および通信インタフェース１１９がある。
フラッシュＲＯＭ１１３は、フラッシュメモリ型の記憶媒体であり、制御基板１１０に実装された内部記憶装置として用いられる。ＳＤカード１１７は、ＳＤカードスロット１１６によって着脱可能なフラッシュメモリ型の記憶媒体であり、外部記憶装置として用いられる。フラッシュＲＯＭ１１３には、行先案内表示盤１００を動作させるためのＯＳのプログラム、アプリケーションプログラム、文字フォントデータ等、行先案内表示盤１００の表示に必要な各種データが格納される。
【００３１】
優先アクセス先設定スイッチ１１５は、データの読み込みを行う際に優先する記憶部を設定するスイッチであり、たとえば、制御基板１１０に実装されたディップスイッチとすることができる。本実施形態では、優先アクセス先設定スイッチ１１５は、優先してデータを取得するアクセス先をフラッシュＲＯＭ１１３にするか、ＳＤカード１１７にするかを設定する。なお、優先アクセス先設定スイッチ１１５に対する設定は、ハード的に（スイッチにより）切り替える代わりに、ソフト的に（プログラムにより）判断して切り替えることも可能である。
【００３２】
入出力インタフェース１１４には、表示部１２０を構成する表示パネル１２１と優先アクセス先設定スイッチ１１５とＳＤカードスロット１１６が接続されている。入出力インタフェース１１４は、プロセッサ１１１から送られてくるダイヤデータ等に基づく表示指示を表示パネル１２１に出力する。入出力インタフェース１１４は、優先アクセス先設定スイッチ１１５で設定された優先アクセス先のデータをプロセッサ１１１に送る。入出力インタフェース１１４は、ＳＤカードスロット１１６を介して、ＳＤカード１１７に対するデータの送受信を行う。
【００３３】
通信インタフェース１１９は、ネットワーク４０に接続されている。通信インタフェース１１９は、ネットワーク４０を介して、運用端末５０や保守端末６０等の機器との間でデータを送受信する。
【００３４】
以上のようなハードウェア構成によって、第２の実施形態の処理機能を実現できる。また、第１の実施形態に示した行先案内表示盤１も、図３に示した行先案内表示盤１００と同様のハードウェアにより実現できる。
【００３５】
次に、文字フォントについて図４を用いて説明する。図４は、第２の実施形態の文字フォントの一例を示す図であって、（Ａ）は第１文字フォント、（Ｂ）は第２文字フォントである。
【００３６】
図４は、行先案内表示盤１００が表示する文字「車」を、（Ａ）では第１文字フォントで示し、（Ｂ）では第２文字フォントで示したものである。なお、第１文字フォントは、保守端末６０から行先案内表示盤１００に送信され、行先案内表示盤１００のフラッシュＲＯＭ１１３およびＳＤカード１１７に記憶される。第２文字フォントは、保守端末６０から行先案内表示盤１００に送信され、行先案内表示盤１００のフラッシュＲＯＭ１１３内に記憶される。
【００３７】
第１文字フォントおよび第２文字フォントのデータは、表示システム３０の運用前の準備段階において、あらかじめ行先案内表示盤１００に記憶される。
図４の（Ａ）に示す第１文字フォントは、行先案内表示盤１００に表示させるために作られたオリジナルの文字フォントである。第１文字フォントは、ＬＥＤの配列数が少ないパネルや解像度が低いパネル等においても視認性が良いよう、略均一の太さの線で文字が描かれた書体やドット画像である。図４の（Ａ）においては、１文字あたり、２４×２４ドットのエリアに２ドットの均一の太さで文字が描かれたドットパターンの例を示している。
【００３８】
図４の（Ｂ）に示す第２文字フォントは、従来から存在する文字フォントであり、たとえば、明朝体等の一般的な書体である。図４の（Ｂ）においては、１文字あたり、２４×２４ドットのエリアに均一でない太さの線で、かつ、装飾が施された文字が描かれたドットパターンの例を示している。第２文字フォントは、第１文字フォントと比較すると、文字の太さが異なるため表示すると視認性が低い。また、１ドットの太さの線で描かれた部分があるため、ＬＥＤが１個故障するのみで文字が切断して見える場合もある。このため、第２文字フォントよりも第１文字フォントの方が視認性は高いため、第１文字フォントのデータを用いて行先案内表示盤１００に文字を表示することが望ましい。
【００３９】
次に、第２の実施形態のダイヤデータについて図５を用いて説明する。図５は、第２の実施形態のダイヤデータのデータ構造とコード内容の一例を示す図である。
ダイヤデータは、行先案内表示盤１００に対して、どのような表示を行うかを指示する情報である。ダイヤデータのデータ構造は、番線コードと、種別コードと、行先コードと、時コードと、分コードと、両数コードと、文章コードとを含む。
【００４０】
番線コードは、出発する列車ののりばを識別するコードである。種別コードは、列車の種別を識別するコードである。行先コードは、列車の行先を識別するコードである。時コードは、発車する時刻の時を識別するコードである。分コードは、発車する時刻の分を識別するコードである。両数コードは、列車の編成数を識別するコードである。文章コードは、表示する文章を識別するコードである。
【００４１】
ダイヤデータのデータ内容について、たとえば、番線コードは０〜９、種別コードは０１〜２０、行先コードは００１〜１００、時コードは００〜２３、分コードは００〜５９、両数コードは１〜９、文章コードは００１〜２５０の範囲の数値としてある。ダイヤデータのコード内容については、図６および図７を用いて後で説明する。
【００４２】
なお、図示したダイヤデータのデータ構造およびコード内容は一例であり、他のものであってもよい。たとえば、車両編成に応じて、両数コードの桁数を変更してもよい。また、多言語化に対応して文章データが増加する場合は、文章コードの桁数を適時増加してもよい。
【００４３】
次に、ダイヤデータのデータ内容と表示内容の対応情報について図６および図７を用いて説明する。図６は、第２の実施形態のダイヤデータのコード内容と表示内容の対応情報の一例を示す図であって、（Ａ）は番線コード、（Ｂ）は種別コード、（Ｃ）は行先コードとの対応情報である。図７は、第２の実施形態のダイヤデータのコード内容と表示内容の対応情報の一例を示す図であって、（Ａ）は時コード、（Ｂ）は分コード、（Ｃ）は両数コード、（Ｄ）は文章コードとの対応情報である。
【００４４】
図６の（Ａ）は、番線コードと表示内容の対応情報である。番線コードのコード内容として「０」を受信した行先案内表示盤１００は、表示内容「０」を表示部１２０に表示する。同様に、番線コード「９」を受信した場合、行先案内表示盤１００は、表示内容「９」を表示部１２０に表示する。
【００４５】
図６の（Ｂ）は、種別コードと表示内容の対応情報である。種別コードのコード内容として「０１」を受信した行先案内表示盤１００は、表示内容「特急」を表示部１２０に表示する。同様に、種別コード「２０」を受信した場合、行先案内表示盤１００は、表示内容「回送」を表示部１２０に表示する。
【００４６】
図６の（Ｃ）は、行先コードと表示内容の対応情報である。行先コードのコード内容として「００１」を受信した行先案内表示盤１００は、表示内容「豊橋」を表示部１２０に表示する。同様に、行先コード「１００」を受信した場合、行先案内表示盤１００は、表示内容「当駅止まり」を表示部１２０に表示する。
【００４７】
図７の（Ａ）は、時コードと表示内容の対応情報である。時コードのコード内容として「００」を受信した行先案内表示盤１００は、表示内容「０」を表示部１２０に表示する。同様に、時データのコード内容として「２３」を受信した場合、行先案内表示盤１００は、表示内容「２３」を表示部１２０に表示する。
【００４８】
図７の（Ｂ）は、分コードと表示内容の対応情報である。分コードのコード内容として「００」を受信した行先案内表示盤１００は、表示内容「００」を表示部１２０に表示する。同様に、分コードのコード内容として「５９」を受信した場合、行先案内表示盤１００は、表示内容「５９」を表示部１２０に表示する。
【００４９】
図７の（Ｃ）は、両数コードと表示内容の対応情報である。両数コードのコード内容として「１」を受信した行先案内表示盤１００は、表示内容「１両」を表示部１２０に表示する。同様に、両数コードのコード内容として「９」を受信した場合、行先案内表示盤１００は、表示内容「９両」を表示部１２０に表示する。
【００５０】
図７の（Ｄ）は、文章コードと表示内容の対応情報である。文章コードのコード内容として「００１」を受信した行先案内表示盤１００は、表示内容「ただいま、電車の運転を見合わせております。」を表示部１２０に表示する。同様に、文章コードのコード内容として「２５０」を受信した場合、行先案内表示盤１００は、表示内容「各駅に止まります。」を表示部１２０に表示する。
【００５１】
次に、第２の実施形態の表示処理について図８を用いて説明する。図８は、第２の実施形態の表示処理のフローチャートを示す図である。
表示処理は、行先案内表示盤１００が運用端末５０からダイヤデータを受信したときに、表示部１２０の表示パネル１２１にダイヤデータに対応する文字の情報の表示を指示する処理である。
【００５２】
以下、フラッシュＲＯＭ１１３内に第１文字フォントデータ、第２文字フォントデータおよびコード内容と表示内容との対応情報が格納され、ＳＤカード１１７に第１文字フォントデータおよびコード内容と表示内容との対応情報が格納されていることを前提として説明する。
【００５３】
［ステップＳ１１］プロセッサ１１１は、ダイヤデータを運用端末５０から受信する。
［ステップＳ１２］プロセッサ１１１は、優先アクセス先の設定情報を取得する。言い換えると、プロセッサ１１１は、表示部１２０に表示をするために用いるフォントデータが格納されている記憶媒体のアクセス先として優先してアクセスすべき媒体の指定を取得する。優先アクセス先の設定情報とは、フラッシュＲＯＭ１１３またはＳＤカード１１７のいずれかを設定する情報である。
【００５４】
［ステップＳ１３］プロセッサ１１１は、ステップＳ１２で受信した優先アクセス先の設定情報がフラッシュＲＯＭ１１３であるか否かを判定する。プロセッサ１１１は、判定した結果、優先アクセス先がフラッシュＲＯＭ１１３である場合はステップＳ１４にすすみ、フラッシュＲＯＭ１１３でない場合はステップＳ１５にすすむ。
【００５５】
［ステップＳ１４］プロセッサ１１１は、第１記憶部優先表示処理を実行する。第１記憶部優先表示処理は、行先案内表示盤１００が表示処理を行う際に、フラッシュＲＯＭ１１３に格納された第１文字フォントデータを優先して用いる表示処理である。第１記憶部優先表示処理は、図９を用いて後で説明する。
【００５６】
［ステップＳ１５］プロセッサ１１１は、第２記憶部優先表示処理を実行する。第２記憶部優先表示処理は、行先案内表示盤１００が表示処理を行う際に、ＳＤカード１１７に格納された第１文字フォントデータを優先して用いる表示処理である。第２記憶部優先表示処理は、図１０を用いて後で説明する。
【００５７】
次に、第２の実施形態の第１記憶部優先表示処理について図９を用いて説明する。図９は、第２の実施形態の第１記憶部優先表示処理のフローチャートを示す図である。
第１記憶部優先表示処理は、表示処理のステップＳ１４で行先案内表示盤１００のプロセッサ１１１が実行する処理である。
【００５８】
［ステップＳ２１］プロセッサ１１１は、フラッシュＲＯＭ１１３内から第１文字フォントデータを正常に読み出しできたか否かを判定する。この判定は、フラッシュＲＯＭ１１３内から読み出された第１文字フォントデータがＳＤ−ＲＡＭ１１２に転送完了したことを示す応答をプロセッサ１１１が確認することによって行われる。プロセッサ１１１は、第１文字フォントデータを正常に読み出しできた場合はステップＳ２２にすすみ、正常に読み出せなかった場合はステップＳ２３にすすむ。
【００５９】
［ステップＳ２２］プロセッサ１１１は、フラッシュＲＯＭ１１３内の第１文字フォントデータからダイヤデータに対応する文字のフォントを取得する。
［ステップＳ２３］プロセッサ１１１は、ＳＤカード１１７内から第１文字フォントデータを正常に読み出しできたか否かを判定する。プロセッサ１１１は、第１文字フォントデータを正常に読み出しできた場合はステップＳ２４にすすみ、正常に読み出せなかった場合はステップＳ２５にすすむ。
【００６０】
［ステップＳ２４］プロセッサ１１１は、ＳＤカード１１７内の第１文字フォントデータからダイヤデータに対応する文字のフォントを取得する。
［ステップＳ２５］プロセッサ１１１は、フラッシュＲＯＭ１１３内の第２文字フォントデータからダイヤデータに対応する文字のフォントを取得する。
【００６１】
［ステップＳ２６］プロセッサ１１１は、取得した文字フォントデータをＳＤ−ＲＡＭ１１２に展開する。
［ステップＳ２７］プロセッサ１１１は、展開した文字フォントデータの表示を表示部１２０に指示する。
【００６２】
次に、第２の実施形態の第２記憶部優先表示処理について図１０を用いて説明する。図１０は、第２の実施形態の第２記憶部優先表示処理のフローチャートを示す図である。
第２記憶部優先表示処理は、表示処理のステップＳ１５で行先案内表示盤１００のプロセッサ１１１が実行する処理である。
【００６３】
［ステップＳ３１］プロセッサ１１１は、ＳＤカード１１７内から第１文字フォントデータを正常に読み出しできたか否かを判定する。プロセッサ１１１は、第１文字フォントデータを正常に読み出しできた場合はステップＳ３２にすすみ、正常に読み出せなかった場合はステップＳ３３にすすむ。
【００６４】
［ステップＳ３２］プロセッサ１１１は、ＳＤカード１１７内の第１文字フォントデータからダイヤデータに対応する文字のフォントを取得する。
［ステップＳ３３］プロセッサ１１１は、フラッシュＲＯＭ１１３内の第１文字フォントデータを正常に読み出しできたか否かを判定する。プロセッサ１１１は、第１文字フォントデータを正常に読み出しできた場合はステップＳ３４にすすみ、正常に読み出せなかった場合はステップＳ３５にすすむ。
【００６５】
［ステップＳ３４］プロセッサ１１１は、フラッシュＲＯＭ１１３内の第１文字フォントデータからダイヤデータに対応する文字のフォントを取得する。
［ステップＳ３５］プロセッサ１１１は、フラッシュＲＯＭ１１３内の第２文字フォントデータからダイヤデータに対応する文字のフォントを取得する。
【００６６】
［ステップＳ３６］プロセッサ１１１は、取得した文字フォントデータをＳＤ−ＲＡＭ１１２に展開する。
［ステップＳ３７］プロセッサ１１１は、展開した文字フォントデータの表示を表示部１２０に指示する。
【００６７】
次に、表示部の表示について図１１を用いて説明する。図１１は、第２の実施形態の表示の一例を示す図である。
図１１において、表示部１２０は、２段の表示領域３０１，３０２を有し、それぞれ全面をＬＥＤでマトリクス状に配列して構成している。図示の表示例によれば、表示部１２０の上段の表示領域３０１には、ダイヤデータに基づく列車情報（番線、種別、行先、時、分、両数）が第１文字フォントデータのフォントで表示されている。また、表示部１２０の下段の表示領域３０２には、ダイヤデータの文章コードに対応した案内情報（文章データの表示内容）が第２文字フォントデータのフォントで表示されている。
【００６８】
以上の表示例は、運用端末５０ダイヤデータとして「１０１００１１０３０８２４９」を受信した場合を示している。すなわち、受信したダイヤデータからプロセッサ１１１は、番線コード「１」、種別コード「０１」、行先コード「００１」、時コード「１０」、分コード「３０」、両数コード「８」、文章コード「２４９」であると解釈する。これに対し、表示部１２０の表示領域３０１には、それらのコードに対応する文字である「１」、「特急」、「豊橋」、「１０」、「３０」、「８両」が表示され、表示領域３０２には「駆け込み乗車は危険です。次の列車をお待ちください。」が表示される。なお、時分の間の「：」は、表示の際に自動的に付加される情報である。
【００６９】
このように、行先案内表示盤１００は、独自の文字フォントが格納されている２つの記憶部にアクセスする際に、優先してアクセスする一方の記憶部から文字フォントを取得できなかった場合、他の記憶部から文字フォントを取得する。これにより、行先案内表示盤１００は、文字フォントを取得できなかった場合に、表示できない状態を回避することができる。
【００７０】
また、行先案内表示盤１００は、２つの記憶部のいずれからも独自の文字フォントを取得できなかった場合、汎用の文字フォントを取得し表示する。これにより、行先案内表示盤１００は、独自の文字フォントよりも視認性は劣るが、表示自体は可能なので、まったく表示の更新ができない状態を回避することができる。
【００７１】
また、汎用の文字フォント（第２の文字フォント）が行先案内表示盤１００に表示された場合、フラッシュＲＯＭ１１３とＳＤカード１１７内の第１の文字フォントに障害（エラー）が発生していることを意味する。このため、行先案内表示盤１００に表示される文字フォントの違いにより、保守点検者が障害発生有無を視認により容易に判別できる。これにより、障害発生後、速やかに（行先案内表示盤１００の機能がさらに劣化する前に）修理のスケジュールを設定することができる。たとえば、障害発生日の列車運行終了後に早急に修理が行えた場合、翌日には正常な表示で運用できるようにすることが可能になる。
【００７２】
さらに、上記の実施形態では、ダイヤデータを受信するごとに、優先アクセス先の設定情報の取得、設定された記憶媒体からの第１文字フォントの読み出し、および、正常読み出しの判定を行っているが、これらの処理を行先案内表示盤の電源投入時だけ行うようにしてもよい。
【００７３】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００７４】
１，１００  行先案内表示盤
２，５０  運用端末
３，６０  保守端末
４  内部記憶装置
５  外部記憶装置
６  アクセス先設定部
７  データ読出部
８  データ読出判定部
９  主記憶装置
１０  表示ユニット
１１，１４  第１文字フォントデータ
１２  第２文字フォントデータ
１３，１５  文章データ
１６  優先アクセス先
１７  ダイヤデータ
３０  表示システム
４０  ネットワーク
１１０  制御基板
１１１  プロセッサ
１１２  ＳＤ−ＲＡＭ
１１３  フラッシュＲＯＭ
１１４  入出力インタフェース
１１５  優先アクセス先設定スイッチ
１１６  ＳＤカードスロット
１１７  ＳＤカード
１１８  バス
１１９  通信インタフェース
１２０  表示部
１２１  表示パネル
３０１，３０２  表示領域
【図１】
0006353420.tif 000002
【図２】
0006353420.tif 000003
【図３】
0006353420.tif 000004
【図４】
0006353420.tif 000005
【図５】
0006353420.tif 000006
【図６】
0006353420.tif 000007
【図７】
0006353420.tif 000008
【図８】
0006353420.tif 000009
【図９】
0006353420.tif 000010
【図１０】
0006353420.tif 000011
【図１１】
0006353420.tif 000012